【手続補正書】
【提出日】平成29年12月7日(2017.12.7)
【手続補正１】
【補正対象書類名】特許請求の範囲
【補正対象項目名】全文
【補正方法】変更
【補正の内容】
【特許請求の範囲】
【請求項１】
空気調和機と、移動端末とを有する空調制御システムであって、
前記移動端末は、
画像を撮影する撮影手段と、
前記撮影手段で撮影した画像の撮影時の環境情報を取得する環境情報取得手段と、
前記撮影手段で撮影した画像の画像データを、当該画像データにかかる画像の前記環境情報と関連付けて記憶可能な画像記憶手段と、
前記空気調和機に対して前記環境情報に対応する運転指示信号を送信可能な第１通信手段とを有しており、
前記空気調和機は、前記移動端末から送信された前記運転指示信号に基づいて空間の空気調和を行う制御手段を有することを特徴とする空調制御システム。
【請求項２】
前記環境情報を検出する第１センサをさらに備えており、
前記環境情報取得手段は、前記撮影手段により画像を撮影する時に、前記第１センサから前記環境情報を取得することを特徴とする請求項１に記載の空調制御システム。
【請求項３】
前記移動端末は、前記撮影手段で撮影した画像の撮影場所及び撮影時刻の少なくともいずれか一方の環境特定情報を取得する環境特定情報取得手段をさらに備えており、
前記環境情報取得手段は、環境特定情報取得手段により取得された前記環境特定情報に対応する環境情報を通信ネットワークを介して取得することを特徴とする請求項１に記載の空調制御システム。
【請求項４】
前記移動端末は、ユーザからの入力を受け付ける受付手段、及び前記受付手段からの信号に基づいて、前記画像記憶手段に記憶された前記画像データの中の１つを選択する選択手段をさらに備えており、
前記第１通信手段は、前記選択手段により選択された画像データの前記環境情報に対応する前記運転指示信号を前記空気調和機に送信することを特徴とする請求項１〜３のいずれか１項に記載の空調制御システム。
【請求項５】
前記移動端末は、前記画像記憶手段に記憶されている前記画像データにかかる画像を表示する画像表示手段をさらに備えており、
前記受付手段は、前記画像表示手段に表示された画像の中の１つを決定する指示を受け付け可能であることを特徴とする請求項４に記載の空調制御システム。
【請求項６】
前記移動端末は、前記選択手段によって選択された画像データに対応する前記環境情報に関するパラメータが所定範囲外である場合に、ユーザにその旨を報知する第１報知手段をさらに有していることを特徴とする請求項４又は５に記載の空調制御システム。
【請求項７】
前記第１通信手段は、前記選択手段によって選択された画像データに対応する環境情報に含まれるパラメータが所定範囲外である場合に、当該環境情報に対応する前記運転指示信号を前記空気調和機に送信しないことを特徴とする請求項４〜６のいずれか１項に記載の空調制御システム。
【請求項８】
空気調和が行われる前記空間の環境情報を検出する第２センサと、
前記選択手段によって選択された画像データに対応する前記環境情報に関するパラメータと、前記第２センサによって検出された前記環境情報に関するパラメータとを比較する比較手段とをさらに備えており、
前記移動端末は、前記比較手段による比較の結果、両者の差が所定値以内である場合に、ユーザにその旨を報知する第２報知手段をさらに有していることを特徴とする請求項４〜７のいずれか１項に記載の空調制御システム。
【請求項９】
前記移動端末は、別の移動端末に対して情報を送信可能な第２通信手段をさらに備えており、
前記第２通信手段は、前記画像記憶手段に記憶されている前記画像データを、当該画像データに対応する前記環境情報と共に別の移動端末に送信することを特徴とする請求項１〜８のいずれか１項に記載の空調制御システム。
【請求項１０】
空気調和機と、移動端末とを有する空調制御システムであって、
前記移動端末は、
位置情報を取得可能な位置取得部と時刻情報を取得可能な時刻取得部の少なくとも一方を有し、
温度、湿度及び風量のいずれかの環境情報を取得する環境情報取得手段と、
前記位置情報または前記時刻情報と前記環境情報とを関連付けて記憶可能な記憶手段と、を備え、
前記空気調和機に対して前記環境情報に対応する運転指示信号を送信可能な第１通信手段を有しており、
前記空気調和機は、前記移動端末から送信された前記運転指示信号に基づいて空間の空気調和を行う制御手段を有することを特徴とする空調制御システム。
【請求項１１】
前記環境情報は、温度に関するパラメータを含んでいることを特徴する請求項１〜１０のいずれか１項に記載の空調制御システム。
【請求項１２】
前記環境情報は、湿度に関するパラメータを含んでいることを特徴する請求項１〜１１のいずれか１項に記載の空調制御システム。
【請求項１３】
前記環境情報は、風量に関するパラメータを含んでいることを特徴する請求項１〜１２のいずれか１項に記載の空調制御システム。
【手続補正２】
【補正対象書類名】明細書
【補正対象項目名】００２２
【補正方法】変更
【補正の内容】
【００２２】
第９の発明にかかる空調制御システムは、第１−第８のいずれかの発明にかかる空調制御システムにおいて、前記移動端末は、別の移動端末に対して情報を送信可能な第２通信手段をさらに備えており、前記第２通信手段は、前記画像記憶手段に記憶されている前記画像データを、当該画像データに対応する前記環境情報と共に別の移動端末に送信することを特徴とする。
この空調制御システムでは、撮影時の環境を別の移動端末の所有者と共有できる。
第１０の発明にかかる空調制御システムは、空気調和機と、移動端末とを有する空調制御システムであって、前記移動端末は、位置情報を取得可能な位置取得部と時刻情報を取得可能な時刻取得部の少なくとも一方を有し、温度、湿度及び風量のいずれかの環境情報を取得する環境情報取得手段と、前記位置情報または前記時刻情報と前記環境情報とを関連付けて記憶可能な記憶手段と、を備え、前記空気調和機に対して前記環境情報に対応する運転指示信号を送信可能な第１通信手段を有しており、前記空気調和機は、前記移動端末から送信された前記運転指示信号に基づいて空間の空気調和を行う制御手段を有することを特徴とする。
第１１の発明にかかる空調制御システムは、第１−第１０のいずれかの発明にかかる空調制御システムにおいて、前記環境情報は、温度に関するパラメータを含んでいることを特徴する。
【手続補正３】
【補正対象書類名】明細書
【補正対象項目名】００２４
【補正方法】変更
【補正の内容】
【００２４】
第１２の発明にかかる空調制御システムは、第１−第１１のいずれかの発明にかかる空調制御システムにおいて、前記環境情報は、湿度に関するパラメータを含んでいることを特徴する。
【手続補正４】
【補正対象書類名】明細書
【補正対象項目名】００２６
【補正方法】変更
【補正の内容】
【００２６】
第１３の発明にかかる空調制御システムは、第１−第１２のいずれかの発明にかかる空調制御システムにおいて、前記環境情報は、風量に関するパラメータを含んでいることを特徴する。
【手続補正５】
【補正対象書類名】明細書
【補正対象項目名】００２８
【補正方法】削除
【補正の内容】
【手続補正６】
【補正対象書類名】明細書
【補正対象項目名】００２９
【補正方法】削除
【補正の内容】
【手続補正７】
【補正対象書類名】明細書
【補正対象項目名】００３９
【補正方法】変更
【補正の内容】
【００３９】
第９の発明では、撮影時の環境を別の移動端末の所有者と共有できる。
第１１の発明では、撮影時の温度を空調により再現できる。
【手続補正８】
【補正対象書類名】明細書
【補正対象項目名】００４０
【補正方法】変更
【補正の内容】
【００４０】
第１２の発明では、撮影時の湿度を空調により再現できる。
【手続補正９】
【補正対象書類名】明細書
【補正対象項目名】００４１
【補正方法】変更
【補正の内容】
【００４１】
第１３の発明では、撮影時の風量を空調により再現できる。
【手続補正１０】
【補正対象書類名】明細書
【補正対象項目名】００４２
【補正方法】削除
【補正の内容】